(57)【特許請求の範囲】
【請求項１】
ＣＤを保持する本体と、この本体とで前記ＣＤを挟み込む蓋体とを備えたＣＤケースであって、前記本体および蓋体の平面視がともにほぼ長方形状または正方形状であり、また、前記本体の四隅部および蓋体の四隅部をそれぞれ連結するために４対の連結部が設けられており、それらのうち１対の連結部が、互いに連結した状態で軸芯まわりに回動可能となる平面視円形状の凸部と、この凸部を係止する開口とからなり、前記本体および蓋体のいずれか一方または両方に、収納したＣＤに当接する部分にリブを設けてあることを特徴とするＣＤケース。
【請求項２】
前記４対の連結部の残りの３対の連結部が、平面視円形状の凸部と、この凸部を係止する平面視正方形状または長方形状の凹部とからなる請求項１に記載のＣＤケース。
【請求項３】
前記凸部および凹部が、アンダーカット部となっている請求項１または２に記載のＣＤケース。
【請求項４】
前記本体および蓋体がそれぞれ、一枚のシート体に凹凸を付与した形状をしている請求項１〜３のいずれかに記載のＣＤケース。
【請求項５】
前記本体がＣＤの開口周縁部を係止する係止部を有し、また、この係止部が、前記開口周縁部に当接する複数の凸出部分と、複数の凸出部分の間に形成された溝部分とを有し、前記凸出部分を押さえることで、前記開口周縁部に対する凸出部分の当接する力が弱まるように構成した請求項１〜４のいずれかに記載のＣＤケース。
【発明の詳細な説明】
【０００１】
【発明の属する技術分野】
本発明は、ＣＤ（Ｃｏｍｐａｃｔ  Ｄｉｓｋ）を収容するＣＤケースに関するものである。
【０００２】
【従来の技術】
ＣＤを保持する本体と、この本体に開閉自在に連結された蓋体とを備えた従来のＣＤケースとして、図４に示すように、前記本体１３と蓋体１４とが別体に形成されており、本体１３の一端部両側に形成された凸部１３ａ，１３ａに、蓋体１４の一端部両側に形成された開口部１４ａ，１４ａをそれぞれ嵌め合わせることにより両者１３，１４を連結し、この連結部分がヒンジになっているものがある。
【０００３】
そして、上記の構成からなるＣＤケースは、前記本体１３と蓋体１４との連結部分の構造などが複雑であったことから、射出成形により成形されていた。
【０００４】
【発明が解決しようとする課題】
しかし、上記射出成形ではＣＤケースを薄く形成することが難しいことから、ＣＤケースを形成するための材料の必要量が多くなり、また、前記射出成形に用いられる金型は一般的に値段が高く、射出成形でＣＤケースを製造するとコストが上昇するという問題があった。
【０００５】
本発明は上述の事柄に留意してなされたもので、その目的は、低コストで製造することができるＣＤケースを提供することである。
【０００６】
【課題を解決するための手段】
上記目的を達成するために、本発明のＣＤケースは、ＣＤを保持する本体と、この本体とで前記ＣＤを挟み込む蓋体とを備えたＣＤケースであって、前記本体および蓋体の平面視がともにほぼ長方形状または正方形状であり、また、前記本体の四隅部および蓋体の四隅部をそれぞれ連結するために４対の連結部が設けられており、それらのうち１対の連結部が、互いに連結した状態で軸芯まわりに回動可能となる平面視円形状の凸部と、この凸部を係止する開口とからなとからなり、前記本体および蓋体のいずれか一方または両方に、収納したＣＤに当接する部分にリブを設けてある（請求項１）。
【０００７】
上記の構成からなる本発明では、射出成形に比して、成形物の厚みを薄くして、必要な材料量・材料費を減らすことができ、かつ用いる金型が一般的に低価格である真空成形を適用することができることから、低コストで製造することができるＣＤケースを提供することが可能となる。
【０００８】
また、上記の構成からなる本発明では、本体および蓋体のそれぞれの４隅部を互いに連結させるための連結部を設け、それらのうち一つの連結部を、連結した状態で軸芯まわりに回動できるように構成してあることから、ＣＤケースに対してＣＤを出し入れするときにも、前記連結部を介して本体と蓋体とを常に連結した状態としておくことができるため、本体と蓋体とのいずれか一方のみを紛失することを防止でき、また、ＣＤの出し入れを容易に行うことが可能となる。
さらに、ＣＤケースに衝撃が加わった場合でも、ＣＤに加わる衝撃は、前記リブによって緩衝することができるのであり、また、前記リブを設けることによって、ＣＤケース自体の保形性を上昇させることができる。
【０００９】
また、前記４対の連結部の残りの３対の連結部が、平面視円形状の凸部と、この凸部を係止する平面視正方形状または長方形状の凹部とからなるとしてもよい（請求項２）。この場合には、各凸部に対して各凹部を係合させると、本体と蓋体とが閉じ合わされた状態となり、前記係合を解除すると、蓋体が開いた状態となるのであり、本体に対する蓋体の開閉作業を簡単に行うことができる。
【００１０】
さらに、前記凸部および凹部が、アンダーカット部となっているとしてもよい（請求項３）。この場合には、前記開口に対する凸部の係止力と、凹部に対する凸部の係止力とを、それぞれ適宜の大きさに容易に調整・設定することが可能となる。
【００１１】
また、前記本体および蓋体がそれぞれ、一枚のシート体に凹凸を付与した形状をしているとしてもよい（請求項４）。この場合には、真空成形によって製造することに特に適したものとなる。
【００１２】
【００１３】
また、前記本体がＣＤの開口周縁部を係止する係止部を有し、また、この係止部が、前記開口周縁部に当接する複数の凸出部分と、複数の凸出部分の間に形成された溝部分とを有し、前記凸出部分を押さえることで、前記開口周縁部に対する凸出部分の当接する力が弱まるように構成してもよい（請求項５）。この場合には、前記凸出部分を押さえることにより、前記本体からのＣＤの取り外し作業を簡単に行うことが可能となる。
【００１４】
【発明の実施の形態】
以下、本発明の実施の形態を図面に基づいて説明する。
図１および図２は、本発明の一実施例に係るＣＤケース１の構成を概略的に示す斜視図および縦断面図である。
ＣＤケース１は、ＣＤ２を保持する本体３と、この本体３とで前記ＣＤ２を挟み込む蓋体４とを備え、前記本体３および蓋体４は、平面視がともにほぼ長方形状または正方形状である一枚のシート体に凹凸を付与した形状をしている。
【００１５】
また、前記ＣＤケース１は、例えば、リサイクル可能な樹脂であるＡ−ＰＥＴ（アモルファスポリエチレンテレフタレート）を用いて形成することができ、Ａ−ＰＥＴを用いて形成すれば、リサイクルの面で貢献できることが可能となる。なお、ＣＤケース１の材料は、Ａ−ＰＥＴに限るものではなく、十分な透明性（光透過性）を有し一定以上の強度を保持できるものであればよく、例えば、ＰＶＣ（塩化ビニール）、ＰＳ（ポリスチレン）、ＯＰＳ（オリエンテッドポリスチレン）、ＰＰ（ポリプロピレン）、ＰＣ（ポリカーボネート）、ＰＥ（ポリエチレン）などを用いることができる。
【００１６】
前記本体３は、ＣＤ２を収容するためにＣＤ２とほぼ同じかあるいはＣＤ２よりも若干大きい平面視円形状の凹入部５を有しており、この凹入部５の中央部には、ＣＤ２の中央部分に形成される開口周縁部２ａを係止する係止部６が形成されている。
【００１７】
図３（Ａ）は、前記ＣＤケース１の係止部６の構成を概略的に示す部分拡大図、図３（Ｂ）は、図３（Ａ）のＦ−Ｆ線断面図、図３（Ｃ）は、図３（Ａ）のＧ−Ｇ線断面図である。
前記係止部６は、前記開口周縁部２ａに当接する複数（例えば、４つ）の凸出部分７，７…と、複数の凸出部分７，７…の間に形成された平面視がほぼ十字形状の溝部分８とを有している。
【００１８】
そして、前記凸出部分７，７…を押さえることで、係止部６が変形し、前記開口周縁部２ａに対する凸出部分７，７…の当接する力が弱まるように構成してあり、ＣＤ２の係止部６からの取り外しは、前記凸出部分７，７…を押さえることで簡単に行うことができる。
【００１９】
前記蓋体４は、収納したＣＤ２に当接する部分にリブ９を有している。本実施例では、蓋体４は２つのリブ９ａ，９ｂを有しており、一方のリブ９ａは、平面視がほぼ円形状となるように形成され、ＣＤ２の開口周縁部２ａの少し外側に当接するように配置されているのであり、他方のリブ９ｂは、平面視がほぼ円形状となるように形成され、ＣＤ２の周縁部に当接するように、かつ前記リブ９ａと同心円となるように配置されている。
【００２０】
なお、前記リブ９を、蓋体４に設けずに本体３に設けてもよいし、本体３および蓋体４の両方に設けてもよい。また、前記リブ９の形状は、平面視が円形状のものに限られず、例えば、ＣＤ２の中心からその周縁に向かうように放射状に配置された直線状のものであってもよい。
【００２１】
そして、前記ＣＤケース１には、前記本体３の四隅部および蓋体４の四隅部をそれぞれ連結するために４対の連結部１０，１１，１１，１１が設けられており、それらのうち１対の連結部１０が、互いに連結した状態で軸芯まわりに回動可能となる平面視円形状の凸部１０ａと、この凸部を係止する開口１０ｂとからなり、また、残りの３対の連結部１１，１１，１１が、それぞれ平面視円形状の凸部１１ａと、この凸部１１ａを係止する平面視正方形状または長方形状の凹部１１ｂとからなる。
【００２２】
本実施例では、前記本体３の四隅部には、前記開口１０ｂと、前記三つの凹部１１ｂ，１１ｂ，１１ｂとが設けられており、また、前記蓋体４の四隅部には、前記凸部１０ａと、前記三つの凸部１１ａ，１１ａ，１１ａとが設けられている。なお、前記凸部１０ａと凸部１１ａとは、大きさが同じでもよいし、異なっていてもよい。
【００２３】
前記凸部１０ａ，１１ａおよび凹部１１ｂは、後述する真空成形による製造時に、無理抜きによって形成されるアンダーカット部、すなわち上部の開口部分ｕよりも底辺部分ｄのほうが大きい形状となっており、これによって、開口１０ｂに対する凸部１０ａの係止力と、凹部１１ｂに対する凸部１１ａの係止力とを、それぞれ適宜の大きさに容易に調整・設定できるのである。
【００２４】
また、前記本体３の周縁部３ａは、下方に折れ曲げられた形状をしており、さらに、前記蓋体４の周縁部を形成する４辺部４ａ，４ａ，４ｂ，４ｂのうちの隣り合う２辺部４ａ，４ａも、ともに下方に折れ曲げられた形状をしている。
【００２５】
前記４辺部４ａ，４ａ，４ｂ，４ｂは、前記蓋体４の一隅部に設けられた凸部１０ａを基準とした場合、前記凸部１０ａから近い方の２辺部４ｂ，４ｂと、凸部１０ａから離れている方の２辺部４ａ，４ａとに区別してみることができ、前記２辺部４ａ，４ａは、前記凸部１０ａから離れている方に相当するものである。なお、前記２辺部４ｂ，４ｂは、下方に折れ曲げられた形状をしておらず、その端部が、前記本体３の上面の端部とほぼ一致するように形成されている。
【００２６】
そして、前記周縁部３ａおよび２辺部４ａ，４ａをガイドとして用いることによって、後述する本体３と蓋体４とでＣＤ２を挟み込んだ状態とするという作業・操作を簡単に行うことが可能となる。
【００２７】
上記の構成からなるＣＤケース１へのＣＤ２の収納は、ＣＤ２を係止部６に係止させた後、本体３と蓋体４とでＣＤ２を挟み込んだ状態とし、最後に、開口１０ｂに対して凸部１０ａを嵌め込むとともに、各凹部１１ｂに対して各凸部１１ａを嵌め込む（各連結部１０，１１の連結を行う）だけで完了する。また、ＣＤ２のＣＤケース１からの取り出しは、各凹部１１ｂから各凸部１１ａを外した（各連結部１１の連結を解除した）後、前記連結部１０の凸部１０ａおよび開口１０ｂを互いに連結した状態で軸芯まわりに回動させることにより、蓋体４がＣＤ２を覆わない状態、すなわちＣＤケース１を開いた状態とし、この状態で、ＣＤ２を係止部６から取り外すだけで完了する。
【００２８】
次に、前記ＣＤケース１の製造方法について説明する。
前記ＣＤケース１の製造工程には、真空成形工程が含まれている。すなわち、前記ＣＤケース１は、一枚のシート体に凹凸を付与した形状をしている本体３および蓋体４とからなることから、射出成形ではなく真空成形によって成形することが可能である。そして、この真空成形には、公知の方法および装置を用いることができ、前記ＣＤケース１に合わせた金型を用意すればよい。
【００２９】
前記金型は、開いた状態のＣＤケース１を成形できるように設計されたものを用意すればよい。すなわち、前記金型には、例えば、前記本体３および蓋体５にそれぞれ形成される凹入部５，リブ９，各凸部１０ａ，１１ａおよび各凹部１１ｂなどを形成するための凹凸や、前記開口１０ｂ，周縁部３ａおよび２辺部４ａ，４ａを形成するための部分などを設けておけばよい。また、複数個（例えば、６個、８個、１０個など）のＣＤケース１，１…が一枚のシート状に連なった状態で形成されるように金型を構成し、前記金型を用いての真空成形工程を経た後に切断作業を行って、連なった状態の複数個のＣＤケース１，１…を分離するようにしてもよい。この場合には、ＣＤケース１の大量生産が容易となる。
【００３０】
上記の構成からなる製造方法では、射出成形ではなく真空成形によってＣＤケース１を製造していることから、ＣＤケース１の本体３および蓋体４の厚さを極めて薄くすることができる。詳しくは、従来の製造方法、すなわち射出成形では、ＣＤケース１の本体３および蓋体４の厚さは、せいぜい１．７ｍｍ程度にまでしか薄くできなかったが、本発明の製造方法、すなわち真空成形では、例えば、０．３〜０．３５ｍｍ程度にまで薄くすることが可能である。なお、ＣＤケース１の本体３および蓋体４の厚さは、ＣＤ２の表裏両面を保護できる範囲とすればよい。
【００３１】
また、真空成形では射出成形に比して、ＣＤケース１の厚みを薄くできることから必要な材料量・材料費を減らすことができ、かつ、一般的に、使用する金型も真空成形のほうが非常に低価格であるため、上記製造方法では、製造コストを非常に低く抑えることができる。
【００３２】
上記の構成からなるＣＤケース１は、上記のような利点を有する製造方法によって製造できるのであり、従って、ＣＤケース１によって、上記製造方法によって得られる効果と同様の効果を得ることが可能である。
【００３３】
また、前記ＣＤケース１では、本体３および蓋体４のそれぞれの４隅部を互いに連結させるための連結部１０，１１，１１，１１を設け、それらのうち一つの連結部１０を、連結した状態で軸芯まわりに回動できるように構成してあることから、ＣＤケース１に対してＣＤ２を出し入れするときにも、前記連結部１０を介して本体３と蓋体４とを常に連結した状態としておくことができるため、本体３と蓋体４とのいずれか一方のみを紛失することを防止でき、また、ＣＤ２の出し入れを容易に行うことが可能となる。
【００３４】
さらに、前記ＣＤケース１では、各凸部１１ａに対して各凹部１１ｂを係合させると、本体３と蓋体４とが閉じ合わされた状態となり、前記係合を解除すると、蓋体４が開いた状態となるのであり、本体３に対する蓋体４の開閉作業を簡単に行うことができる。
【００３５】
また、前記ＣＤケース１では、前記リブ９を設けてあり、ＣＤケース１に衝撃が加わった場合でも、ＣＤ２に加わる衝撃は、前記リブ９によって緩衝することができるのである。また、前記リブ９を設けることによって、ＣＤケース１自体の保形性を上昇させることができる。なお、このような効果は、前記本体３に設けた周縁部３ａおよび蓋体４に設けた２辺部４ａ，４ａによっても得られ、互いにその効果を高め合うこととなる。
【００３６】
なお、上記実施例では、前記蓋体４において凸部１０ａから離れている方の２辺部４ａ，４ａを下方に折り曲げた形状とし、凸部１０ａから近い方の２辺部４ｂ，４ｂを下方に折れ曲げられた形状とせず、その端部が、前記本体３の上面の端部とほぼ一致するように形成してあるが、このような構成に限るものではなく、例えば、前記蓋体４において凸部１０ａから離れている方の２辺部４ａ，４ａの一方の辺部４ａと、この辺部４ａと隣り合う前記２辺部４ｂ，４ｂの一方の辺部４ｂとを下方に折り曲げた形状とし、残りの２辺部４ａ，４ｂを下方に折れ曲げられた形状とせず、その端部が、前記本体３の上面の端部とほぼ一致するように形成してもよい。
【００３７】
【発明の効果】
以上説明したように、本発明によれば、低コストで製造することができるＣＤケースを提供することができる。
【図面の簡単な説明】
【図１】  本発明の一実施例に係るＣＤケースの構成を概略的に示す斜視図である。
【図２】  上記実施例の構成を概略的に示す縦断面図である。
【図３】  （Ａ）は、上記実施例における係止部の構成を概略的に示す部分拡大図、（Ｂ
）は、（Ａ）のＦ−Ｆ線断面図、（Ｃ）は、（Ａ）のＧ−Ｇ線断面図である。
【図４】  従来のＣＤケースの構成を概略的に示す分解斜視図である。
【符号の説明】
１…ＣＤケース、２…ＣＤ、３…本体、４…蓋体、１０，１１…連結部、１０ａ…凸部、１０ｂ…凹部。
【図１】
0003967938.tif 000002
【図２】
0003967938.tif 000003
【図３】
0003967938.tif 000004
【図４】
0003967938.tif 000005